(57)【要約】【課題】コンクリート製品から吊りボルトが露出していると、野積の際空所に溜った降水や降雪が氷結して吊りボルトに吊支機のフックを係合できない。【解決手段】この被吊支器具はアンカー(1)、ねじリング(2)、座屈治具(3)、キャップ(4)を備える。該アンカーは軸部(11)端に係合鍔(12)と脱出防止鍔(13)を備え、該ねじリングの内径は該係合鍔の外径より大で内周面に雌ねじ(21)を有する。該座屈治具は漏斗型で一端部が閉塞部(31)で他端の小径部(32)外周に雄ねじ(33)を備え、内端壁(34)のある軸孔(35)を備えている。該座屈治具を該ねじリングと螺合し、該軸孔に該係合鍔を挿入して、型枠に設置する。該キャップは閉塞部(41)と、その一面から突出する筒部(43)を備えている。コンクリート製品から該座屈治具を取外して現出する空所(S)を、該キャップの該筒部に該係合鍔を入れ該ねじリングと螺合して、密閉するようになっている。       【選択図】図１
2017160011.tif 000002
【特許請求の範囲】
【請求項１】
コンクリート製品(A)に適用されるもので、アンカー(1)と、ねじリング(2)と、座屈治具(3)と、キャップ(4)を備え、
該アンカー(1)は軸部(11)の各端に係合鍔(12)と脱出防止鍔(13)を各別に備え、
該ねじリング(2)は該係合鍔(12)の外径(d1)より大きい内径(d2)を有し、内周面に雌ねじ(21)を備え、
該座屈治具(3)は軸線(x)上で一端側に外径(d3)が変化する閉塞用の異形部(31)を備え、他端側の小径部(32)の外周に該ねじリング(2)の該雌ねじ(21)と螺合する雄ねじ(33)を備え、かつ該小径部(32)側から内端壁(34)を備えた軸孔(35)を備え、
該座屈治具(3)を該ねじリング(2)と螺合し、該軸孔(35)に該係合鍔(12)を挿入して、該コンクリート製品(A)の所定位置を占めるよう、型枠に設置し、
該キャップ(4)は蓋部(41)と、該蓋部(41)の一面から突出し端部外周面に該ねじリング(2)の該雌ねじ(21)と螺合する雄ねじ(42)のある筒部(43)を備え、
成形されたコンクリート製品(A)から該座屈治具(3)を該ねじリング(2)と離別させて取外して現出する空所(S)を、該キャップ(4)の該筒部(43)に該係合鍔(12)を入れて該キャップ(4)を該雌ねじ(21)と螺合することにより、密閉するようになっている    
ことを特徴とする寒冷地用被吊支器具。
【請求項２】
該座屈治具(3)は該異形部(31)の外周にコンクリート製品(A)に止水用の段面(A’)を形成する段面形成鍔(36)を備えている請求項１に記載の寒冷地用被吊支器具。
【請求項３】
該キャップ(4)の該蓋部(41)は一面に該座屈治具(3)が現出させる該段面(A’)に収まる閉塞鍔(44)を備えている請求項１又は２に記載の寒冷地用被吊支器具。
【請求項４】
該閉塞鍔(44)は該段面(A’)と密接する弾性の止水リング(46)を備えている請求項１、２又は３に記載の寒冷地用被吊支器具。
【請求項５】
該アンカー(1)の該軸部(11)には欠環状となった弾性スリーブ(5)がその側面から嵌脱自在で、該弾性スリーブ(5)の外径(d4)に該座屈治具(3)の該小径部(32)が弾発係合するようになっている請求項１から４の何れか一つの項に記載の寒冷地用被吊支器具。
【請求項６】
該弾性スリーブ(5)は外周面に摩擦軽減部(51)を備えている請求項５に記載の寒冷地用被吊支器具。
【請求項７】
該座屈治具(3)は該軸線(x)上に一端で該軸孔(35)に開口し、他端が外部に開放した空気抜き孔(38)を備えている請求項１から６の何れか一つの項に記載の寒冷地用被吊支器具。
【請求項８】
該ねじリング(2)は外周面に軸線方向のリブ(22)を備えている請求項１から７の何れか一つの項に記載の寒冷地用被吊支器具。
【発明の詳細な説明】
【技術分野】
【０００１】
本発明は寒冷地用被吊支器具に係り、コンクリート製品の製造時にこれに埋設されるものと、脱型によってコンクリート製品から露出することになる部分を被覆するものの双方から構成されたものに関する。
【背景技術】
【０００２】
重量のあるコンクリート製品ではその取扱いが大変となる。そのため、例えば特許文献１や２に示すように、コンクリート製品にアンカーを埋設しておき、クレーン等の吊支機のフックをこのアンカーに係合して吊上げ、処理場所に運ぶようにしている。
【先行技術文献】
【特許文献】
【０００３】
【特許文献１】特開平９−１２２６４号公報：選択図１参照
【特許文献２】特表２０１０−５１３７５９号公報：図２参照
【発明の概要】
【発明が解決しようとする課題】
【０００４】
これらの文献の開示されたアンカーの頭部は製品の凹部に露出しているため、野積するとアンカー周囲の凹所に雨水や降雪が溜ることがある。寒冷地ではこれが氷結してアンカーの露出部を覆ってしまうため、吊支機のフックと係合できず、吊支不能となる。
【０００５】
本発明は脱型したコンクリート製品に対し、被吊支器具となるアンカーの係合鍔の周りの空所を容易に形成すると共に、野積の場合に露出した係合鍔の被覆を容易に行える寒冷地用被吊支器具を提供することを目的とする。
【課題を解決するための手段】
【０００６】
（請求項１）本発明に係る寒冷地用被吊支器具は、コンクリート製品に適用されるもので、アンカーと、ねじリングと、座屈治具と、キャップを備えている。該アンカーは軸部の各端に係合鍔と脱出防止鍔を各別に備えている。該ねじリングは該係合鍔の外径より大きい内径を有し、内周面に雌ねじを備えている。該座屈治具は軸線上で一端側に外径が変化する閉塞用の異形部を備え、他端側の小径部の外周に該ねじリングの該雌ねじと螺合する雄ねじを備え、かつ該小径部側から内端壁を備えた軸孔を備えている。
該座屈治具を該ねじリングと螺合し、該軸孔に該係合鍔を挿入して、該コンクリート製品の所定位置を占めるよう、型枠に設置する。
該キャップは蓋部と、該蓋部の一面から突出し端部外周面に該ねじリングの該雌ねじと螺合する雄ねじのある筒部を備えている。
成形されたコンクリート製品から該座屈治具を該ねじリングと離別させて取外す。現出する空所を、該キャップの該筒部に該係合鍔を入れて該キャップを該ねじリングと螺合することにより、密閉するようになっている。  
【０００７】
本発明に係る寒冷地用被吊支器具は、コンクリート製品に埋設されるものと、製品となった後に使用されるもので構成されているが、両者は相俟って寒冷地において取扱いし易いコンクリート製品を提供するもので、共用することに意味があり、発明の単一性に適合している。
【０００８】
コンクリート製品の成形に際しては座屈治具とねじリングを螺合し、該座屈治具の軸孔にアンカーの係合鍔を挿入する。そして、これら一体としたものを座屈治具の一面がコンクリート製品の表面と面一となるように型枠に設置する。
【０００９】
コンクリート製品が出来上ったら脱型する。座屈治具をねじ回し、ねじリング及びコンクリート製品から取り外す。この取外しによってコンクリート製品には空所が現出し、この空所にアンカーの係合鍔が露出する。
【００１０】
ここで、キャップを使用する。キャップの筒部をアンカーの係合鍔に嵌め込み、この筒部の雄ねじをコンクリート製品に埋設されているねじリングの雌ねじと螺合する。このキャップのねじ回しにはその一面に回転具との係合部を設けておく。このねじ込みは、キャップの閉塞鍔が空所の開口面の周面に現出している段面に密接するまで行う。
【００１１】
この筒部は一端が閉塞され、その内径は該アンカーの係合鍔の外径より大きいので、アンカーの係合鍔をこの筒部内に挿入したとき、アンカーとの間に空隙が生じる。この空隙は密閉作業の不備等により雨水が空隙に入ってきても、この空隙は水封されて気圧が上昇するので、浸水の上昇を阻止して係合鍔が水没するのを防ぐ。
【００１２】
（請求項２）該座屈治具は該異形部の外周に、コンクリート製品に止水用の段面を形成する段面形成鍔を備えていてもよい。
こうすると、打設したコンクリートが固化して脱型すると、コンクリート製品の空所の開口面に段面が形成でき、キャップによる止水を容易かつ確実に行える。
【００１３】
（請求項３）該キャップの該蓋部は一面に該座屈治具が現出させる該段面に収まる閉塞鍔を備えていてもよい。
こうすると、キャップはその閉塞鍔で該座屈治具が現出させる該段面に収まるので、止水が一層確実となる。
【００１４】
（請求項４）該閉塞鍔は基部外周に該段面と密接する弾性の止水リングが回らされていてもよい。
こうすると、閉塞鍔と段面との接触が密接に行われない場合も、止水リングが両者間に介在することになるので、止水が確実に行われる。
【００１５】
（請求項５）該アンカーの該軸部には欠環状となった弾性スリーブがその側面から嵌脱自在で、該弾性スリーブの外径に該座屈治具の該小径部が弾発係合するようになっていてもよい。
こうすると、座屈治具の軸孔の内径に比べアンカーの係合鍔の外径が小さくて両者が密接に嵌合しない場合でも、弾性スリーブの外径を軸孔の内径より少し大きくすることにより、座屈治具を弾性スリーブと弾発係合できるので、アンカーと座屈治具の嵌合状態を所期の通りに保てる。
【００１６】
（請求項６）該弾性スリーブは外周面に摩擦軽減部を備えていてもよい。
こうすると、弾性スリーブと座屈治具の軸孔との弾発係合を容易に行える。
【００１７】
（請求項７）該座屈治具は該軸線上に一端で該軸孔に開口し、他端が外部に開放した空気抜き孔を備えていてもよい。
こうすると、座屈治具の軸孔とアンカーの係合鍔や弾性スリーブとの嵌合に際し、相対する面が密接に嵌合すると、軸孔の残留空気が高圧となって嵌合作業に支障をきたすが、この空気を外部へ逃がせるので、嵌合作業を円滑になせる。
【００１８】
（請求項８）該ねじリングは外周面に軸線方向のリブを備えていてもよい。
こうすると、ねじリングを座屈治具と螺合したときにその軸線方向に加わる圧力に対し歪むのを防げ、またこの螺合作業の際ねじリングを座屈治具と相対的に回動する作業に供用できる。
【発明の効果】
【００１９】
本発明によれば、コンクリート製品の成形に際して採用する座屈治具は、製品から取外すと製品に空所を現出し、この空所にアンカーの係合鍔が露出するので、キャップの筒部にこの係合鍔を嵌合してねじリングと螺合し、その閉塞鍔を空所の開口面の周面に現出している段面に密接させることにより、この空所を密閉できる。コンクリート製品を取扱う際は、このキャップを取外してアンカーの係合鍔を露出させればよい。また、この筒部は一端が閉塞されており、アンカーの係合鍔をこの筒部内に挿入したときに生じる空隙に雨水が浸入してきても、この空隙は水封されて気圧が上昇するので、浸水の上昇を阻止して係合鍔が水没するのを防ぐ。
【００２０】
請求項２によれば、打設したコンクリートが固化して脱型すると、コンクリート製品の空所の開口面に段面が形成でき、キャップによる止水を容易かつ確実に行える。
【００２１】
請求項３によれば、キャップはその閉塞鍔で該座屈治具が現出させる該段面に収まるので、止水が一層確実となる。
【００２２】
請求項４によれば、閉塞鍔と段面との接触が密接でなくても、止水リングが両者間に介在することになるので、止水が確実に行われる。
【００２３】
請求項５によれば、座屈治具の軸孔の内径に比べアンカーの係合鍔の外径が小さくて両者が密接に嵌合しない場合でも、弾性スリーブの外径を軸孔の内径より少し大きくすることにより、座屈治具を弾性スリーブと弾発係合できるので、アンカーと座屈治具の嵌合状態を所期の通りに保てる。
【００２４】
請求項６によれば、弾性スリーブと座屈治具の軸孔との弾発係合を容易に行える。
【００２５】
請求項７によれば、座屈治具の軸孔とアンカーの係合鍔や弾性スリーブとの嵌合に際し、相対する面が密接に嵌合すると、軸孔の残留空気が高圧となって嵌合作業に支障をきたすが、この空気を外部へ逃がせるので、嵌合作業を円滑になせる。
【００２６】
請求項８によれば、ねじリングを座屈治具と螺合したときにその軸線方向に加わる圧力に対し歪むのを防げ、またこの螺合作業の際にねじリングを座屈治具と相対的に回動するのに供用できる。
【図面の簡単な説明】
【００２７】
【図１】本発明にかかる寒冷地用被吊支器具の、コンクリート製品成形時の具体例を示す断面図で、アンカーは非断面の状態である。
【図２】図１に示すコンクリート製品から座屈治具を取外した状態の断面図である。
【図３】コンクリート製品に現出した空所をキャップで閉塞した状態の断面図である。
【図４】キャップの平面図で、下の部分を切除して示す。
【発明を実施するための形態】
【００２８】
本発明の実施の形態を、図面を参照して説明する。
（請求項１）この寒冷地用被吊支器具はコンクリート製品Ａに適用されるもので、アンカー１と、ねじリング２と、座屈治具３と、キャップ４を備えている。
アンカー１は軸部１１の各端に係合鍔１２と脱出防止鍔１３を各別に備えている。
ねじリング２は係合鍔１２の外径ｄ１より大きい内径ｄ２を有し、内周面に雌ねじ２１を備えている。
座屈治具３は軸線ｘ上で一端側に外径ｄ３が変化する閉塞用の異形部３１を備え、他端側の小径部３２の外周にねじリング２の雌ねじ２１と螺合する雄ねじ３３を備え、かつ小径部３２側から内端壁３４を備えた軸孔３５を備えている。
座屈治具３の雄ねじ３３をねじリング２の雌ねじ２１と螺合し、軸孔３５に係合鍔１２を挿入して、一体化する。   そして、これら一体化したものを、座屈治具３がコンクリート製品Ａの所定位置を占め、かつ座屈治具３の一面３８がコンクリート製品Ａの表面Ａ”と面一となるように、型枠に設置する。ねじリング２の螺合には座屈治具３に回転孔６等を設けておくのがよい。
キャップ４は蓋部４１と、この蓋部４１の一面から突出し端部外周面にねじリング２の雌ねじ２１と螺合する雄ねじ４２のある筒部４３を備えている。
【００２９】
コンクリート製品Ａが出来上ったら脱型する。座屈治具３をねじ回し、ねじリング２及びコンクリート製品Ａから取り外す。この取外しによってコンクリート製品には空所Ｓが現出し、この空所にアンカー１の係合鍔１２が露出する。
【００３０】
野積や戸外移送の際にはキャップ４を使用する。このキャップの筒部４３をアンカー１の係合鍔１２に嵌め込み、この筒部の雄ねじ４２をコンクリート製品Ａに埋設されているねじリング２の雌ねじ２１と螺合する。このキャップ４のねじ回しにはその一面に回転具との係合部、例えばリブ２２を設けておく。このねじ込みは、キャップ４の閉塞部４１が空所Ｓの開口面の周面に現出している段面Ａ’に密接するまで行う。
【００３１】
この筒部４３は一端が閉塞されているので、アンカー１の係合鍔１２をこの筒部４３内に挿入したとき、アンカー１との間に空隙Ｓ’が生じる。この空隙Ｓ’は密閉作業の不備等により雨水が空隙Ｓ’に入ってきても、この空隙Ｓ’は水封されて気圧が上昇するので、浸水の上昇を阻止して係合鍔１２が水没するのを防ぐ。
コンクリート製品Ａを取扱う際は、キャップ４をねじリング２からねじ外して係合鍔１２を露出させればよい。
【００３２】
（請求項２）座屈治具３は異形部３１の外周にコンクリート製品Ａに止水用の段面Ａ’を形成する段面形成鍔３６を備えている。
この場合、打設したコンクリートが固化して脱型すると、コンクリート製品Ａの空所Ｓの開口面に段面Ａ’が形成でき、キャップ４による止水を容易かつ確実に行える。
【００３３】
（請求項３）キャップ４の蓋部４１は下面に、座屈治具３が現出させる段面Ａ’に収まる閉塞鍔４４を備えている。
この場合、キャップ４はその閉塞鍔４４で座屈治具３が現出させる段面Ａ’に収まるので、止水が一層確実となる。
【００３４】
（請求項４）閉塞鍔４４は基部外周に段面Ａ’と密接する弾性の止水リング４６が回らされている。
この場合、閉塞鍔４４と段面Ａ’との接触が密接でなくても、止水リング４６が両者間に介在することになるので、止水が確実に行われる。
【００３５】
（請求項５）アンカー１の軸部１１には欠環状となった弾性スリーブ５がその側面から嵌脱自在で、この弾性スリーブ５の外径ｄ4に座屈治具３の小径部３２が弾発係合するようになっている。
この場合、座屈治具３の軸孔３５の内径に比べアンカー１の係合鍔１２の外径が小さくて両者が密接に嵌合しない場合でも、弾性スリーブ５の外径ｄ4を軸孔３５の内径より少し大きくすることにより、座屈治具３を弾性スリーブ５と弾発係合できるので、アンカー１と座屈治具３の嵌合状態を所期の通りに保てる。
【００３６】
（請求項６）弾性スリーブ５は外周面に摩擦軽減部５１を備えている。
この場合、弾性スリーブ５と座屈治具３の軸孔３５との弾発係合を容易に行える。
【００３７】
（請求項７）座屈治具３は軸線ｘ上に一端で軸孔３５に開口し、他端が外部に開放した空気抜き孔３６を備えている。
この場合、座屈治具３の軸孔３５とアンカー１の係合鍔１２や弾性スリーブ５との嵌合に際し、相対する面が密接に嵌合すると、軸孔３５に残存する空気が高圧となって嵌合作業に支障をきたすが、この空気を外部へ逃がせるので、嵌合作業を円滑になせる。
【００３８】
（請求項８）ねじリング２は外周面に軸線方向のリブ２２を備えている。
この場合、ねじリング２を座屈治具３と螺合したときにその軸線方向に加わる圧力に対し歪むのを防げ、またこの螺合作業の際にねじリング２を座屈治具３と相対的に回動する作業に供用できる。
【符号の説明】
【００３９】
Ａ    コンクリート製品              ４３  筒部
Ａ’  段面                          ４４  閉塞鍔
Ａ”  表面                          ４５  係合部
ｘ    軸線                          ４６  止水リング
１    アンカー                      ５    弾性スリーブ
２    ねじリング                    ５１  摩擦軽減部
３    座屈治具                      ６    回転孔
４    キャップ                      Ｓ    空所
１１  軸部
１２  係合鍔
１３  脱出防止鍔
２１  雌ねじ
２２  リブ
３１  異形部
３２  小径部
３３  雄ねじ
３４  内端壁
３５  軸孔
３６  段面形成鍔
３７  空気抜き孔
３８  一面
４１  蓋部
４２  雄ねじ
【図１】
2017160011.tif 000003
【図２】
2017160011.tif 000004
【図３】
2017160011.tif 000005
【図４】
2017160011.tif 000006